(57)【要約】【課題】  歩行時における脚部の負担を確実に軽減することができる歩行補助具を提供する。【解決手段】  使用者の脚部５０に装着されて歩行を補助する歩行補助具１であって、使用者が跨いで着座可能な着座部１２を有する支持部材１０と、支持部材１０に第１回動部２１を介して回動自在に支持される一対の上杖部材２０Ｒ，２０Ｌと、一対の上杖部材２０Ｒ，２０Ｌにそれぞれ第２回動部３１Ｒ，３１Ｌを介して回動自在に支持され、使用者の脚部に着脱可能に装着される一対の下杖部材３０Ｒ，３０Ｌとを備え、下杖部材３０Ｒ，３０Ｌの下部には、歩行時に使用者の踵５２Ｒ，５２Ｌの接地と同時に接地する当接部３８Ｒ，３８Ｌが設けられている。【選択図】  図１
2020048728.tif 000002
【特許請求の範囲】
【請求項１】
使用者の脚部に装着されて歩行を補助する歩行補助具であって、
使用者が跨いで着座可能な着座部を有する支持部材と、
前記支持部材に第１回動部を介して回動自在に支持される一対の上杖部材と、
一対の前記上杖部材にそれぞれ第２回動部を介して回動自在に支持され、使用者の脚部に着脱可能に装着される一対の下杖部材とを備え、
前記下杖部材の下部には、歩行時に使用者の踵の接地と同時に接地する当接部が設けられた歩行補助具。
【請求項２】
前記第１回動部は、前記支持部材に対して前記上杖部材を傾斜可能に支持し、
前記第２回動部は、前記上杖部材に対して前記下杖部材を傾斜可能に支持する請求項１に記載の歩行補助具。
【請求項３】
前記第１回動部は、前記支持部材および上杖部材に形成された取付孔に緩挿されて両端に係止部を有する第１軸部材を備え、
前記第２回動部は、前記上杖部材および下杖部材に形成された取付孔に緩挿されて両端に係止部を有する第２軸部材を備える請求項２に記載の歩行補助具。
【発明の詳細な説明】
【技術分野】
【０００１】
本発明は、使用者の脚部に装着されて歩行を補助する歩行補助具に関する。
【背景技術】
【０００２】
従来の歩行補助具として、例えば特許文献１に開示された構成が知られている。この歩行補助具は、腰部ベルトに取り付けられる腰部材と、腰部材の下端部に第１の関節を介して取り付けられた上部脚部材と、上部脚部材の下端部に第２の関節を介して取り付けられた下部脚部材とを備えており、腰部材、腰部材および下部脚部材が直線状に伸びた状態で下部脚部材の下端部が接地することにより、体重を支持するように構成されている。
【先行技術文献】
【特許文献】
【０００３】
【特許文献１】特開２００６−３０５２２５号公報
【発明の概要】
【発明が解決しようとする課題】
【０００４】
上記従来の歩行補助具は、腰部材が、使用者の腰部に巻き付けられた腰部ベルトに装着されるため、下部脚部材の下端部が接地したときに、使用者の体重を十分支えることが困難であった。
【０００５】
そこで、本発明は、歩行時における脚部の負担を確実に軽減することができる歩行補助具の提供を目的とする。
【課題を解決するための手段】
【０００６】
本発明の前記目的は、使用者の脚部に装着されて歩行を補助する歩行補助具であって、使用者が跨いで着座可能な着座部を有する支持部材と、前記支持部材に第１回動部を介して回動自在に支持される一対の上杖部材と、一対の前記上杖部材にそれぞれ第２回動部を介して回動自在に支持され、使用者の脚部に着脱可能に装着される一対の下杖部材とを備え、前記下杖部材の下部には、歩行時に使用者の踵の接地と同時に接地する当接部が設けられた歩行補助具により達成される。
【０００７】
この歩行補助具において、前記第１回動部は、前記支持部材に対して前記上杖部材を傾斜可能に支持することが好ましく、前記第２回動部は、前記上杖部材に対して前記下杖部材を傾斜可能に支持することが好ましい。
【０００８】
更に、前記第１回動部は、前記支持部材および上杖部材に形成された取付孔に緩挿されて両端に係止部を有する第１軸部材を備えることが好ましく、前記第２回動部は、前記上杖部材および下杖部材に形成された取付孔に緩挿されて両端に係止部を有する第２軸部材を備えることが好ましい。
【発明の効果】
【０００９】
本発明によれば、歩行時における脚部の負担を確実に軽減することができる歩行補助具を提供することができる。
【図面の簡単な説明】
【００１０】
【図１】本発明の一実施形態に係る歩行補助具の正面図である。
【図２】図１に示す歩行補助具の側面図である。
【図３】図１に示す歩行補助具の使用状態の一例を示す図である。
【図４】図１に示す歩行補助具の要部を示す断面図である。
【図５】図１に示す歩行補助具の他の要部を示す断面図である。
【図６】図１に示す歩行補助具の変形例を示す要部断面図である。
【発明を実施するための形態】
【００１１】
以下、本発明の実施の形態について、添付図面を参照して説明する。図１は、本発明の一実施形態に係る歩行補助具の正面図であり、図２は、図１に示す歩行補助具の側面図である。図１および図２に示すように、歩行補助具１は、支持部材１０、一対の上杖部材２０Ｒ，２０Ｌおよび一対の下杖部材３０Ｒ，３０Ｌを備えている。
【００１２】
支持部材１０は、本体１１と、本体１１の上部に設けられた着座部１２と、本体１１の後方から左右両側に突出するように設けられた突出部１３とを備えている。着座部１２は、クッション材等からなり、使用者が跨いで着座することができるように、前後方向に延びる細長状に形成されている。
【００１３】
本体１１の前面、および、突出部１３の両側面には、取付用ベルト１４ａ，１４ｂ，１４ｃの基端部がそれぞれ固定されている。取付用ベルト１４ａ，１４ｂ，１４ｃは、先端側を使用者のズボンのベルト５４に巻き付けて、面ファスナーにより固定することができる。取付用ベルト１４ａ，１４ｂ，１４ｃの取り付け箇所は、必ずしもズボンのベルト５４に限定されるものではなく、例えば、取付用ベルト１４ａ，１４ｂ，１４ｃの先端にクリップを設けて、ズボンのポケットやベルト通し等に着脱可能に取り付けてもよい。
【００１４】
上杖部材２０Ｒ，２０Ｌは、矩形状の断面を有する細長状の部材であり、上端部が第１回動部２１を介して支持部材１０の本体１１に回動自在に支持されている。上杖部材２０Ｒ，２０Ｌの内側にはベアリング２８Ｒ，２８Ｌが設けられており、上杖部材２０Ｒ，２０Ｌの回動時に、ベアリング２８Ｒ，２８Ｌが本体１１の側面を摺動する。上杖部材２０Ｒ，２０Ｌの下端部には、取付板２６Ｒ，２６Ｌが固定されている。
【００１５】
下杖部材３０Ｒ，３０Ｌは、矩形状の断面を有する細長状の部材であり、上端部がそれぞれ第２回動部３１Ｒ，３１Ｌを介して取付板２６Ｒ，２６Ｌに回動自在に支持されている。下杖部材３０Ｒ，３０Ｌの上部および下部には、可撓性を有する帯板を円弧状に湾曲して形成された装着部３４Ｒ；３４Ｌ，３５Ｒ；３５Ｌが、それぞれ側方に開放するように回動自在に設けられている。下杖部材３０Ｒ，３０Ｌの上部に設けられた装着部３４Ｒ，３４Ｌの内周面には、使用者の脚部５０Ｒ，５０Ｌにおける膝よりも上方の膝上部を密着させることができ、締付バンド３４１Ｒ，３４１Ｌを面ファスナーで装着部３４Ｒ，３４Ｌの外周面に取り付けることにより、装着部３４Ｒ，３４Ｌを膝上部に固定することができる。下杖部材３０Ｒ，３０Ｌの下部に設けられた装着部３５Ｒ，３５Ｌの内周面には、使用者の脚部５０Ｒ，５０Ｌにおける膝よりも下方の膝下部（本実施形態では足首部）を密着させることができ、締付バンド３５１Ｒ，３５１Ｌを面ファスナーで装着部３５Ｒ，３５Ｌの外周面に取り付けることにより、装着部３５Ｒ，３５Ｌを膝下部に固定することができる。装着部３４Ｒ，３４Ｌ，３５Ｒ，３５Ｌの個数や配置は、下杖部材３０Ｒ，３０Ｌを脚部５０Ｒ、５０Ｌに確実に装着可能であれば、必ずしも本実施形態のものには限定されない。
【００１６】
下杖部材３０Ｒ，３０Ｌの下端部には、当接部３８Ｒ，３８Ｌが設けられている。当接部３８Ｒ，３８Ｌは、ゴムシート等により被覆されており、歩行時に使用者の踵５２Ｒ，５２Ｌが地面Ｇに接地すると同時に接地するように、使用者の内踝の内側に隣接配置される。
【００１７】
上記の構成を備える歩行補助具１は、使用者が歩行時に踵から接地すると、上杖部材２０Ｒ，２０Ｌおよび下杖部材３０Ｒ，３０Ｌが直線状に延びた状態で、当接部３８Ｒ，３８Ｌが接地するため、着座部１２に跨った状態の使用者を下方から支持することができる。したがって、使用者の腰、膝、足等に作用する荷重を緩和して、歩行時における脚部の負担を確実に軽減することができる。特に、図３に示すように使用者が階段を降りる際には、使用者の脚の負担が過大になり易いため、本実施形態の歩行補助具１がより有効なものとなる。
【００１８】
図４は、歩行補助具１の第１回動部２１の近傍を示す断面図である。図４に示すように、第１回動部２１は、支持部材の本体１１に形成された取付孔１１１、および、上杖部材２０Ｒ，２０Ｌに形成された取付孔２０１Ｒ，２０１Ｌに挿通された円筒状の第１軸部材２２を備えている。第１軸部材２２は、一端側から挿入されたボルト２２１の先端部が、他端側においてフランジナット２２２に螺合して締結されており、ボルト２２１の頭部およびフランジナット２２２が、第１軸部材２２の両端の係止部を構成する。
【００１９】
第１軸部材２２は、外径が取付孔１１１，２０１Ｒ，２０１Ｌの内径よりも小さく設定されており、取付孔１１１，２０１Ｒ，２０１Ｌに緩挿されている。また、第１軸部材２２の長さは、本体１１および上杖部材２０Ｒ，２０Ｌの合計厚みよりも若干長く設定されており、本体１１と上杖部材２０Ｒ，２０Ｌとの間に隙間が形成される。これらの構成によって、上杖部材２０Ｒ，２０Ｌは、本体１１に対して傾斜可能である。
【００２０】
図５は、歩行補助具１の第２回動部３１Ｌの近傍を示す断面図である。図５に示すように、第２回動部３１Ｌは、上杖部材の取付板２６Ｌに形成された取付孔２６１Ｌ、および、下杖部材３０Ｌに形成された取付孔３０１Ｌに挿通された円筒状の第２軸部材３２Ｌを備えている。第２軸部材３２Ｌは、一端側から挿入されたボルト３２１Ｌの先端部が、他端側においてフランジナット３２２Ｌに螺合して締結されており、ボルト３２１Ｌの頭部およびフランジナット３２２Ｌが、第２軸部材３２Ｌの両端の係止部を構成する。
【００２１】
第２軸部材３２Ｌは、外径が取付孔２６１Ｌ，３０１Ｌの内径よりも小さく設定されており、取付孔２６１Ｌ，３０１Ｌに緩挿されている。また、第２軸部材３２Ｌの長さは、取付板２６Ｌおよび下杖部材３０Ｌの合計厚みよりも若干長く設定されており、取付板２６Ｌと下杖部材３０Ｌとの間に隙間が形成される。これらの構成によって、下杖部材３０Ｌは、取付板２６Ｌに対して傾斜可能である。
【００２２】
取付板２６および下杖部材３０Ｌの取付孔２６１Ｌおよび３０１Ｌは、いずれも等間隔に複数形成されており、第２回動部３１Ｌを挿入する取付孔２６１Ｌ，３０１Ｌを、使用者の身長等に応じて適宜選択することで、当接部３８Ｒ，３８Ｌを所望の位置に容易に配置することができる。
【００２３】
図５は、一方の第２回動部３１Ｌを示しているが、他方の第２回動部３１Ｒについても一方の第２回動部３１Ｌと同様に構成されており、図１に示す下杖部材３０Ｒは、取付板２６Ｒに対して傾斜可能に構成されている。
【００２４】
このように、第１回動部２１が、支持部材１０に対して上杖部材２０Ｒ，２０Ｌを傾斜可能に支持し、第２回動部３１Ｒ，３１Ｌが、上杖部材２０Ｒ，２０Ｌに対して下杖部材３０Ｒ，３０Ｌを傾斜可能に支持することにより、歩行時における使用者の脚の動きに対して、上杖部材２０Ｒ，２０Ｌおよび下杖部材３０Ｒ，３０Ｌを容易に追従させることができ、使用感を向上させることができる。
【００２５】
支持部材１０、上杖部材２０Ｒ，２０Ｌおよび下杖部材３０Ｒ，３０Ｌの取付孔は、本実施形態では円柱状としているが、中央部からいずれか片面または両面に向けてテーパ状に拡径されるように形成してもよい。例えば、図６に示すように、上杖部材２０Ｒの取付孔２０１Ｒが、中央部から両面に向けて拡径されるテーパ部２０２Ｒ，２０３Ｒを有する構成にすることができ、これによって、図４に示す本体１１に対する上杖部材２０Ｒの傾斜角度をより広げることができる。
【符号の説明】
【００２６】
１  歩行補助具
１０  支持部材
１２  着座部
２０Ｒ，２０Ｌ  上杖部材
２１  第１回動部
２２  第１軸部材
３０Ｒ，３０Ｌ  下杖部材
３１Ｒ，３１Ｌ  第２回動部
３２Ｒ，３２Ｌ  第２軸部材
３８Ｒ，３８Ｌ  当接部
【図１】
2020048728.tif 000003
【図２】
2020048728.tif 000004
【図３】
2020048728.tif 000005
【図４】
2020048728.tif 000006
【図５】
2020048728.tif 000007
【図６】
2020048728.tif 000008